(57)【特許請求の範囲】
【請求項１】
ブロードキャストあるいはマルチキャストサービスを提供するエリアを複数の小エリアに分割し、該複数の小エリアにそれぞれ配置された基地局からブロードキャストデータあるいはマルチキャストデータを送信することにより、前記エリアにブロードキャストあるいはマルチキャストサービスを提供する移動通信システムにおいて、
前記ブロードキャストデータあるいはマルチキャストデータの配信優先度を、前記複数の小エリアと関連付けて登録したマッピング情報を保持するデータベースと、
前記ブロードキャストあるいはマルチキャストサービスを提供する際に、前記データベースに登録されたマッピング情報を参照することにより配信優先度が最も高い小エリアから前記配信優先度に従って順次タイムラグを設定して前記複数の小エリアに対する前記ブロードキャストデータあるいはマルチキャストデータの配信要求を行う情報配信サーバと、
前記情報配信サーバから前記配信要求を受けて、前記配信優先度に従って順次タイムラグが設定されたブロードキャストデータあるいはマルチキャストデータを、前記エリア内の該当する小エリアに配置された基地局にそれぞれ配信する無線ネットワーク制御装置（ＲＮＣ）と、
を備えていることを特徴とする移動通信システム。
【請求項２】
請求項１に記載の移動通信システムに用いられる情報配信サーバであって、
前記ＲＮＣを介して前記ブロードキャストあるいはマルチキャストサービスを提供する際に、前記データベースに登録されたマッピング情報を参照することにより配信優先度が最も高い小エリアから前記配信優先度に従って順次タイムラグを設定して前記複数の小エリアに対する前記ブロードキャストデータあるいはマルチキャストデータの配信要求を行う機能を有していることを特徴とする情報配信サーバ。
【請求項３】
前記基地局に情報配信信号を送信することにより前記ブロードキャストあるいはマルチキャストサービス機能を用いて前記エリア内に情報配信サービスを提供する機能を有する無線端末を備え、
前記ＲＮＣは、前記基地局経由で前記無線端末から受信した情報配信信号と前記無線端末が位置する前記小エリアの識別子を、前記情報配信サーバへ送信する機能を有し、
前記情報配信サーバは、前記ＲＮＣから受信した前記無線端末が位置する前記小エリアの識別子に基づいて前記データベースに登録されたマッピング情報を参照することにより前記配信優先度が最も高い小エリアから前記配信優先度に従って順次タイムラグを設定した前記複数の小エリアに対する前記ブロードキャストデータあるいはマルチキャストデータの配信を前記ＲＮＣに要求する機能を有していることを特徴とする請求項１に記載の移動通信システム。
【請求項４】
請求項３に記載の移動通信システムに用いられる情報配信サーバであって、
前記ＲＮＣから受信した前記無線端末が位置する前記小エリアの識別子に基づいて前記データベースに登録されたマッピング情報を参照することにより前記配信優先度が最も高い小エリアから前記配信優先度に従って順次タイムラグを設定した前記複数の小エリアに対する前記ブロードキャストデータあるいはマルチキャストデータの配信を前記ＲＮＣに要求する機能を有していることを特徴とする情報配信サーバ。
【請求項５】
前記基地局に情報配信信号を送信することにより前記ブロードキャストあるいはマルチキャストサービス機能を用いて前記エリア内に情報配信サービスを提供する機能を有する無線端末を備え、
前記ＲＮＣは、前記基地局経由で前記無線端末から受信した情報配信信号と前記無線端末が位置する前記小エリアの識別子を、前記情報配信サーバへ送信する機能を有し、
前記情報配信サーバは、前記ＲＮＣから受信した前記無線端末が位置する前記小エリアの識別子と前記情報配信信号に含まれている配信特性に基づいて前記データベースに登録されたマッピング情報を参照することにより前記配信優先度が最も高い小エリアから前記配信優先度に従って順次タイムラグを設定した前記複数の小エリアに対する前記ブロードキャストデータあるいはマルチキャストデータの配信を前記ＲＮＣに要求する機能を有していることを特徴とする請求項１に記載の移動通信システム。
【請求項６】
請求項５に記載の移動通信システムに用いられる情報配信サーバであって、
前記ＲＮＣから受信した前記無線端末が位置する前記小エリアの識別子と前記情報配信信号に含まれている配信特性に基づいて前記データベースに登録されたマッピング情報を参照することにより前記配信優先度が最も高い小エリアから前記配信優先度に従って順次タイムラグを設定した前記複数の小エリアに対する前記ブロードキャストデータあるいはマルチキャストデータの配信を前記ＲＮＣに要求する機能を有していることを特徴とする情報配信サーバ。
【請求項７】
前記エリア内における配信情報の発生元を含む情報配信信号を前記情報配信サーバに送信することにより前記ブロードキャストあるいはマルチキャストサービス機能を用いて前記エリア内に情報配信サービスを提供する機能を有する情報提供サーバを備え、
前記情報配信サーバは、前記情報提供サーバから受信した前記配信情報の発生元に基づいて前記データベースに登録されたマッピング情報を参照することにより前記配信優先度が最も高い小エリアから前記配信優先度に従って順次タイムラグを設定した前記複数の小エリアに対する前記ブロードキャストデータあるいはマルチキャストデータの配信を前記ＲＮＣに要求する機能を有していることを特徴とする請求項１に記載の移動通信システム。
【請求項８】
請求項７に記載の移動通信システムに用いられる情報配信サーバであって、
前記情報提供サーバから受信した前記配信情報の発生元に基づいて前記データベースに登録されたマッピング情報を参照することにより前記配信優先度が最も高い小エリアから前記配信優先度に従って順次タイムラグを設定した前記複数の小エリアに対する前記ブロードキャストデータあるいはマルチキャストデータの配信を前記ＲＮＣに要求する機能を有していることを特徴とする情報配信サーバ。
【請求項９】
前記エリア内における配信情報の発生元および配信特性を含む情報配信信号を前記情報配信サーバに送信することにより前記ブロードキャストあるいはマルチキャストサービス機能を用いて前記エリア内に情報配信サービスを提供する機能を有する情報提供サーバを備え、
前記情報配信サーバは、前記情報提供サーバから受信した前記配信情報の発生元および配信特性に基づいて前記データベースに登録されたマッピング情報を参照することにより前記配信優先度が最も高い小エリアから前記配信優先度に従って順次タイムラグを設定した前記複数の小エリアに対する前記ブロードキャストデータあるいはマルチキャストデータの配信を前記ＲＮＣに要求する機能を有していることを特徴とする請求項１に記載の移動通信システム。
【請求項１０】
請求項９に記載の移動通信システムに用いられる情報配信サーバであって、
前記情報配信サーバは、前記情報提供サーバから受信した前記配信情報の発生元および配信特性に基づいて前記データベースに登録されたマッピング情報を参照することにより前記配信優先度が最も高い小エリアから前記配信優先度に従って順次タイムラグを設定した前記複数の小エリアに対する前記ブロードキャストデータあるいはマルチキャストデータの配信を前記ＲＮＣに要求する機能を有していることを特徴とする情報配信サーバ。
【請求項１１】
前記情報提供サーバは、インターネットを介して前記情報配信サーバと接続されていることを特徴とする請求項７または９に記載の移動通信システム。
【請求項１２】
ブロードキャストあるいはマルチキャストサービスを提供するエリアを複数の小エリアに分割し、該複数の小エリアにそれぞれ配置した基地局からブロードキャストデータあるいはマルチキャストデータを送信することにより、前記エリアにブロードキャストあるいはマルチキャストサービスを提供する移動通信システムにおけるブロードキャストあるいはマルチキャストサービス方法であって、
前記ブロードキャストデータあるいはマルチキャストデータの配信優先度を、前記複数の小エリアと関連付けて登録したマッピング情報をデータベースとして保持し、情報配信サーバが前記ブロードキャストあるいはマルチキャストサービスを提供する際に、前記データベースに登録されたマッピング情報を参照することにより配信優先度が最も高い小エリアから前記配信優先度に従って順次タイムラグを設定して前記複数の小エリアに対する前記ブロードキャストデータあるいはマルチキャストデータの配信要求を行い、前記情報配信サーバから前記配信要求を受けた無線ネットワーク制御装置（ＲＮＣ）が、前記配信優先度に従って順次タイムラグが設定されたブロードキャストデータあるいはマルチキャストデータを、該当する小エリアに配置された基地局にそれぞれ配信することを特徴とする移動通信システムにおけるブロードキャストあるいはマルチキャストサービス方法。
【発明の詳細な説明】
【技術分野】
【０００１】
本発明は、携帯端末、自動車、船舶、航空機等の移動体を対象とする移動通信網における情報配信サービスに関し、特に、ブロードキャスト、マルチキャスト等の同報サービスを提供する移動通信システムにおける、無線アクセス網内での配信情報のトラヒックバーストを緩和する技術に関する。
【背景技術】
【０００２】
ブロードキャストとマルチキャストは、単一の送信元から複数の送信先へのデータ送信方法、つまり、ポイントツーマルチポイント接続形態であり、３ＧＰＰ（第三世代パートナーシッププロジェクト）仕様書リリース４とリリース９９では、共有されたブロードキャストチャネル上で、あるセルのセットの加入者全てにメッセージベースのサービスとして送信される低ビットレートのデータを可能にするセルブロードキャストサービス（ＣＢＳ）を規定している。更に、移動体加入者がマルチキャストトラフィックを受信できるＩＰマルチキャストサービスが規定されている。
【０００３】
従来の無線アクセス網の情報配信では、特定の配信先領域に対し、一律に、同時配信するように制御されている。また、無線アクセス網では、複数の領域（セル、エリア、等）をＲＮＣ（Radio Network Controller：無線ネットワーク制御装置）が収容する構成となっており、配信情報は、ＲＮＣを介してルーティングされる（特許文献１〜３等参照）。
【０００４】
例えば特許文献１には、サービス情報利用者にとって局所的に重要なサービス情報（道路交通情報等）を利用者に通知する技術が記載されており、セルブロードキャストサービスセンタがサービス提供センタからサービス情報と地域情報とを受け取り、セルブロードキャストサービスセンタは、地域情報からサービス情報が送信されるべき地域内の無線セル・基地局制御装置を確認してサービス情報を転送し、基地局制御装置は、自己に割り当てられた基地局にこのサービス情報を転送している。
【０００５】
また特許文献２には、インターネットと接続された、セルブロードキャストセンタ、セルブロードキャスト情報をセルブロードキャストセンタに提供するセルブロードキャストコンテンツ指定サーバ、および一般利用者に対し情報検索サービスを提供するＷｅｂサーバを備え、セルブロードキャストセンタはセルブロードキャストコンテンツ指定サーバから提供されたセルブロードキャスト情報から地域に対応した情報（案内情報や天気予報等）を作成し、基地局の上位局であるＲＮＣへ送信し、ＲＮＣからそれぞれの配下の基地局に送信し、各基地局がそれぞれの通信可能なエリアであるセルに対して、予めセルブロードキャスト用に決められた特定の無線チャネルにより常時送信する技術に関する発明が開示されている。
【０００６】
図７は、無線アクセス網を用いた従来の情報配信システムの例を示すブロック図である。また、図８は、情報配信エリアの一例を示しており、図９は、従来の情報配信システムにおける情報配信のタイムチャートを示している。
【０００７】
従来の無線アクセス網を用いた情報配信においては、情報配信サーバ７から提供されるブロードキャストデータ（Ｐ−１）はＲＮＣ６を介してルーティングされ、ＲＮＣ６から、該ＲＮＣ６が収容している複数のセル９にそれぞれ配置されている基地局２〜５に対して、一律に、同時配信（Ｐ−２）される。
【０００８】
【特許文献１】特表２００１−５１３６１１号公報
【特許文献２】特開２００５−０７３０２６号公報
【特許文献３】特開２００５−２３６９８８号公報
【発明の開示】
【発明が解決しようとする課題】
【０００９】
このように従来の無線アクセス網の情報配信では、ブロードキャストサービスを行う場合、特定の配信先領域に対して、一律に、同時配信するように制御される。また、無線アクセス網では、複数の領域（セル、エリア、等）をＲＮＣが収容する構成となっており、配信情報は、ＲＮＣを介してルーティングされるために、例えば図８〜図９に示されているように、ある特定の時間区間において、ＲＮＣ６が収容している全てのセル［１］に対して情報配信を完了しなければならないので、該当時間内でトラヒックバーストが発生する。
【００１０】
そのため、一つのＲＮＣに配信先領域（セル［１］）が多く収容されている場合には、該ＲＮＣにトラヒックが集中するために、ＲＮＣの処理能力がボトルネックとなってしまい、サービスの提供に支障が生ずる傾向がある。ＲＮＣ処理能力不足を解消するためには、ＲＮＣ当たりの収容可能領域数を制限する必要があるが、そうすると、ＲＮＣの設備数を増加する措置を取らなければならなくなるので、設備増（コスト増）となる問題が生じる。
【００１１】
本発明の目的は、上記問題点に鑑み、ＲＮＣの設備数を増加させることなく、無線アクセス網内での配信情報のトラヒックバーストを緩和することを可能にする手段を提供することにある。
【課題を解決するための手段】
【００１２】
本発明は、ブロードキャストあるいはマルチキャストサービスを提供するエリアを複数の小エリア（セル等）に分割し、該複数の小エリアにそれぞれ配置された基地局からブロードキャストデータあるいはマルチキャストデータを送信することにより、前記エリアにブロードキャストあるいはマルチキャストサービスを提供する移動通信システムにおいて、前記ブロードキャストデータあるいはマルチキャストデータの配信優先度を、前記複数の小エリアと関連付けて登録したマッピング情報を保持するデータベースと、前記ブロードキャストあるいはマルチキャストサービスを提供する際に、前記データベースに登録されたマッピング情報を参照することにより配信優先度が最も高い小エリアから前記配信優先度に従って順次タイムラグを設定して前記複数の小エリアに対する前記ブロードキャストデータあるいはマルチキャストデータの配信要求を行う情報配信サーバと、前記情報配信サーバから前記配信要求を受けて、前記配信優先度に従って順次タイムラグが設定されたブロードキャストデータあるいはマルチキャストデータを、該当する小エリアに配置された基地局にそれぞれ配信する無線ネットワーク制御装置（ＲＮＣ）と、を備えたことを特徴としている。
【００１３】
また本発明の移動通信システムは、前記基地局に情報配信信号を送信することにより前記ブロードキャストあるいはマルチキャストサービス機能を用いて前記エリア内に情報配信サービスを提供する機能を有する無線端末を備え、前記ＲＮＣは、前記基地局経由で前記無線端末から受信した情報配信信号と前記無線端末が位置する前記小エリアの識別子を、前記情報配信サーバへ送信する機能を有し、前記情報配信サーバは、前記ＲＮＣから受信した前記無線端末が位置する前記小エリアの識別子あるいは前記無線端末が位置する前記小エリアの識別子と前記情報配信信号に含まれている配信特性に基づいて前記データベースに登録されたマッピング情報を参照することにより前記配信優先度が最も高い小エリアから前記配信優先度に従って順次タイムラグを設定した前記複数の小エリアに対する前記ブロードキャストデータあるいはマルチキャストデータの配信を前記ＲＮＣに要求する機能を有する構成とすることができる。
【００１４】
また本発明の移動通信システムは、前記エリア内における配信情報の発生元あるいは前記エリア内における配信情報の発生元および配信特性を含む情報配信信号を前記情報配信サーバに送信することにより前記ブロードキャストあるいはマルチキャストサービス機能を用いて前記エリア内に情報配信サービスを提供する機能を有する情報提供サーバを備え、  前記情報配信サーバは、前記情報提供サーバから受信した前記配信情報の発生元あるいは前記配信情報の発生元および配信特性に基づいて前記データベースに登録されたマッピング情報を参照することにより前記配信優先度が最も高い小エリアから前記配信優先度に従って順次タイムラグを設定した前記複数の小エリアに対する前記ブロードキャストデータあるいはマルチキャストデータの配信を前記ＲＮＣに要求する機能を有する構成とすることができる。
【００１５】
即ち本発明は、無線アクセス網における情報配信サービスにおいて、配信する領域を分割し、情報の配信要求タイミングを分割領域毎に変えることにより、無線アクセス網に流れる情報配信のトラヒックバーストを緩和するものである。また、配信要求タイミングの変更は、その配信する情報の特性から、分割領域毎に優先度を設定し、優先度の高い分割領域から順次配信することにより実現し、ユーザの要求度に応じた効率のよい配信を実現することができる。
【００１６】
そのため本発明の情報配信サーバは、無線ネットワーク制御装置（ＲＮＣ）に対して、タイムラグを持たせた情報配信要求を実施することにより、ＲＮＣにおけるトラヒックの分散を実現する。また、本発明のデータベースには、配信の緊急度に応じた適切な優先度を設定した複数の情報が備えられ、情報配信サービスを提供するユーザは、データベースに備えられている優先度情報の中から最適な配信特性を選択することができる。
【発明の効果】
【００１７】
本発明によれば、優先度で分類された配信対象のセル領域に対して、時間差をもって情報配信が実行されるので、無線アクセス網内の情報配信のトラヒックバーストを緩和することができる。従って、配信対象のセル領域を多くサポートするＲＮＣの要求能力を抑えることができる。
【００１８】
その結果、ＲＮＣの設備数が増加するのを抑えることが可能となり、無線アクセス網を構築するためのコストの増大を抑制することができる。
【００１９】
また、情報配信サーバにて、タイムラグを持たせた情報配信を実施するので、データベースに、配信の緊急度に応じた適切な優先度設定を行うことにより、ユーザの要求度に応じた効率のよい配信が実現可能となる。
【発明を実施するための最良の形態】
【００２０】
図１は、本発明の実施例を示す情報配信システムのブロック図である。
【００２１】
本実施例では、ユーザ（端末１）が交通渋滞等の情報を、ＲＮＣ６に収容されている近辺セル領域へ、ＣＢＳ(Cell Broadcast Service)機能を用いて情報配信するサービスを想定しており、無線アクセス網からの配信特性を含む情報配信要求（Ｐ１）は、ユーザ（端末１）が発生元となっている。
【００２２】
情報配信サーバ７には、ユーザ（端末１）がＣＢＳ機能を用いた情報配信の発生元として予め登録されており、従って、情報配信サーバ７は、ＣＢＳ機能を用いた情報配信の発生元として予め登録されているユーザ（端末１）からの情報配信要求（Ｐ１）を基地局２およびＲＮＣ６経由で受信すると、受信内容（Ｐ２）に含まれている、ユーザ（端末１）が位置するセル識別子と情報配信要求（Ｐ１）に含まれている配信特性を基にして、配信セル領域の特定とその優先度（送信優先度特性）をデータベース８に問い合わせる（Ｐ３、Ｐ４）。
【００２３】
データベース８には、複数種類の配信特性パターン（送信優先度特性）について、ＲＮＣ６内の１つのセルを最優先度指定したときに、該最優先度指定されたセルを基準とするそれぞれの配信特性パターン（送信優先度特性）に従ってＲＮＣ６内の各セルへの情報配信優先度付けを行ったデータが、配信参照情報として予め格納されている。
【００２４】
情報配信サーバ７は、データベース８から得られた配信セル領域の特定とその優先度情報に従って、その優先度順にタイムラグをもたせてユーザ（端末１）から提供された情報を、情報配信要求（Ｐ５−１、Ｐ６−１、Ｐ７−１）としてＲＮＣ６に送信する。ＲＮＣ６は、この情報配信要求に従い、ＣＢＳ機能にて、各セルの基地局２〜５に対して前記タイムラグをもたせてユーザ（端末１）から提供された情報の配信を実施する（Ｐ５−２、Ｐ６―２、Ｐ７−２）。
【００２５】
図２は、本実施例の情報配信システムにおける情報配信タイムチャートを示しており、配信対象となったセルに対して優先度分けした場合、情報配信サーバ７からは、各優先度で配信情報送信区間が重ならないように、各優先度の配信情報の送信開始時間が変えられた配信情報がＲＮＣ６に送信され、ＲＮＣ６では、各セルの基地局に対してその優先度に従った送信開始時間で情報配信が実施されるので、前記のトラヒックバーストを分散することができる。
【００２６】
本実施例と図７〜図９に示す従来例とを比較すると、絶対的な配信情報量は変わらないので、例えば優先度が４段階に分けられ、かつ各優先度に分類されるセル数が均等であると仮定すると、本実施例の構成における情報配信のトラヒックバーストは、従来例の構成における情報配信のトラヒックバーストの４分の１、すなわち優先度カテゴリ数分の１に軽減される。
【００２７】
図３は、データベース化されてデータベース８に格納されている、ユーザ（端末１）の位置情報と送信優先度特性に従い、ユーザ（端末１）の位置情報を基準にしてＲＮＣ６に収容されている各セルに対する優先度付けを行った配信参照情報の例を示している。
【００２８】
図３では、ユーザ（端末１）がCell-ID=7に位置している場合について、ユーザ（端末１）が位置しているCell-ID=7から距離が離れるほど優先度を低くする特性と、ユーザ（端末１）が位置しているCell-ID=7近辺を通過している鉄道路線に沿って配置されているセルにのみ優先的に配信する特性と、これら両者を組み合わせた配信特性の例が示されている。
【００２９】
データベース８には、Cell-ID=7以外の各セルを基準として上記各送信優先度特性に従って領域内のセルに対する優先度付けを行った配信参照情報も格納されている。ユーザ（端末１）が情報配信要求を行う際にはこの送信優先度特性を指定することにより、所望の配信優先度によりＲＮＣ６に収容されているセルに対する情報配信を行うことができる。また、送信優先度特性の指定がない場合には、距離が離れるほど優先度を低くする特性が自動的に選定されるようにしてもよい。
【００３０】
図４〜図６は、図３に示す各配信参照情報に従って情報配信サーバ７がＲＮＣ６経由で情報配信を行う場合の各セルに配信される情報の配信優先順位を示している。
【００３１】
図４では、ユーザ（端末１）がCell-ID=7に位置している場合について、ユーザ（端末１）が位置しているCell-ID=7から距離が離れるほど優先度を低くする特性とした場合の各セルの配信優先度を示しており、発生元のユーザ（端末１）を基準に、近距離領域、中距離領域、遠距離領域の３つの領域に区分し、それぞれに距離的に近いほど高い送信優先度付けをしている。
【００３２】
図５では、ユーザ（端末１）が位置しているCell-ID=7近辺を通過している鉄道路線付近に優先的に送信するように優先度づけをしている構成を示しており、発生元のユーザ（端末１）を基準に、隣接する鉄道路線を特定し、該当鉄道路線付近のセルに優先的に送信するように、優先度付けをしている。また、図６では、図４に示した距離的に送信優先度付けをした場合と、図５に示した該当鉄道路線付近のセルに高い送信優先度づけをした場合を組み合わせた配信特性の構成を示している。
【００３３】
即ち本実施例では、無線アクセス網（端末１、基地局２、ＲＮＣ６）が、情報配信サーバ７に対して、配信特性を含む情報内容（Ｐ２）を通知する。情報配信サーバ７は、情報内容（Ｐ２）に基づき、データベース８に、配信セル領域の特定とその優先度を問い合わせる（Ｐ３、Ｐ４）。情報配信サーバ７は、ＲＮＣ６に対して、その優先度順にタイムラグをもたせて、情報配信要求を実行する（Ｐ５−１、Ｐ６−１、Ｐ７−１）。ＲＮＣ６は、この情報配信要求に従い、ＣＢＳ（Cell Broadcast Service）機能に代表されるブロードキャスト機能を用いて、情報配信を実施する（Ｐ５−２、Ｐ６―２、Ｐ７−２）構成となっており、これによりＲＮＣ６における情報配信トラヒックバーストによる負荷が分散される。
【００３４】
なお図３では、ユーザ（端末１）がCell-ID=7に位置している場合についての例を示しているが、データベース８には、ＲＮＣ６に収容されている各セルにユーザ（端末１）が位置している場合について、それぞれ、各セルに対する前記の優先度付けを行った配信参照情報がデータベース化されて格納されているので、ユーザ（端末１）がＲＮＣ６の配信エリア内のCell-ID=7以外のセルから情報配信要求（Ｐ１）を送信した場合には、当該セルを基準とした所望の配信特性が参照されて、各セルに対する情報配信が実施される。
【００３５】
次に、本実施例の動作について、図１〜図４を参照して詳細に説明する。
【００３６】
ユーザ（端末１）は、配信情報とその配信特性（Ｐ１）を、無線アクセス網を経由してＲＮＣ６に通知する。ＲＮＣ６は、ユーザ（端末１）から受信した配信情報とその配信特性（Ｐ１）に、発生元（端末１）の位置情報（Cell-ID=7）を付加した、配信情報とその配信特性および位置情報（Ｐ２）を、情報配信サーバ７に通知する。
【００３７】
情報配信サーバ７は、ＲＮＣ６から受信した配信情報とその配信特性および位置情報（Ｐ２）から配信情報を抜き出し、情報配信サーバ７内の配信情報格納エリアに格納するとともに、位置情報と配信特性情報（Ｐ３）をデータベース８に通知することにより、データベース８に対して該当する配信セル領域と各セルへの配信優先度情報の取得を要求する。
【００３８】
データベース８は、情報配信サーバ７から受信した位置情報と特性情報（Ｐ３）を検索キーとして、図３に示すデータベース上を検索し、ヒットした配信対象セルのCell-IDと優先度のマッピング情報（Ｐ４）を情報配信サーバ７に応答する。
【００３９】
情報配信サーバ７は、上記データベース８から取得した配信対象セルのCell-IDと優先度のマッピング情報（Ｐ４）に基づいて、ＲＮＣ６に対して、上記情報配信サーバ７内の格納エリアに格納した配信情報を、同じ優先度に指定されたセルのグループ毎に纏めてＲＮＣ６に対して情報配信要求を実行する。このとき、高優先度の指定セルに対して、先に実行要求し、時間をおいて、順次、次の高優先度の指定セルに対して、実行要求を繰り返す。
【００４０】
従って図１に示すように、ＲＮＣ６は情報配信サーバ７から、高優先度のセルに対する情報配信要求（Ｐ５−１）、次に優先度が高いセルに対する情報配信要求（Ｐ６−１）、その次に優先度が高いセルに対する情報配信要求（Ｐ７−１）を受信し、対応セルに向けて、ＣＢＳ(Cell Broadcast Service)機能に代表されるブロードキャスト機能を用いて、要求を受けたタイミングで、Ｐ５−１に対する情報配信Ｐ５−２、Ｐ６―１に対する情報配信Ｐ６―２、Ｐ７−１に対する情報配信Ｐ７−２を順次実施する。
【００４１】
本実施例では、位置情報と特性情報（Ｐ３）は、位置情報Cell-ID=7と、距離的に送信優先度が異なる特性情報の場合を想定しているので、図３のデータベース情報から、一番最初に、Cell-ID=7、8等の、優先度が［1］と設定されているセルに向けて情報配信され、次に、Cell-ID=9、10等の、優先度が［2］と設定されているセルに向けて情報配信され、次にCell-ID=11等の、優先度が［3］と設定されているセルに向けて情報配信される。
【００４２】
このように本実施例によれば、図２に示すとおり、ＲＮＣ６が該ＲＣＮ６に収容されている複数のセルに対して、優先度毎に、配信情報送信区間が重ならないように各優先度のセルへの配信情報の送信開始時間を変えるので、ＲＮＣの設備数を増加することなく前記トラヒックバーストを分散（緩和）することができる。なお図３のデータベース情報に従えば、Cell-ID=7に対する配信も優先度が［1］の送信タイミングで送信されるが、図２に示すように、Cell-ID=7に対する配信を緊急度最高エリアとして最優先で送信する方法も考えられる。
【００４３】
なお、上記実施例では、優先度付けの領域の単位をセル領域としたが、本発明は上記の実施例に限定されるものでなく、たとえばＬＡ（ロケーション・エリア）、ＲＡ（ルーティング・エリア）等の単位で優先度付けすることも可能である。また、ブロードキャスト機能として、ＣＢＳ機能でなくＭＢＭＳ（Multimedia Broadcast Multicast Service）機能に置き換えることも可能である。
【００４４】
さらに、上記実施例では、配信情報の発生元をユーザ（端末１）としたが、配信情報が災害情報等、気象庁などの特殊機関が情報提供サーバとして発生元を情報提供する場合にも、適用可能である。その場合、気象庁などの特殊機関が配信情報（災害情報等）の発生元を指定し、情報配信サーバ７がこの配信情報（災害情報等）の発生元を基準にしてデータベース８を参照することにより、情報配信優先度を決定してＲＮＣ６に対して情報配信要求を実行することができる。
【００４５】
また本発明は、情報配信サーバ７をインターネットに接続し、セルブロードキャスト情報を提供するセルブロードキャストコンテンツ指定サーバが情報提供サーバとしてインターネットを介して情報配信サーバ７に対して情報配信を要求する場合にも適用可能である。その場合、セルブロードキャストコンテンツ指定サーバが配信情報（コンテンツ）の発生元あるいは配信情報（コンテンツ）の発生元と配信特性を指定し、情報配信サーバ７がこの配信情報（コンテンツ）の発生元あるいは配信情報（コンテンツ）の発生元と配信特性を基準にしてデータベース８を参照することにより、情報配信優先度を決定してＲＮＣ６に対して情報配信要求を実行することができる。
【００４６】
これらの実施例においても、ＲＮＣ６が該ＲＣＮ６に収容されている複数のセルに対して、優先度毎に、配信情報送信区間が重ならないように各優先度のセルへの配信情報の送信開始時間を変えるので、ＲＮＣの設備数を増加することなく、上記配信情報（災害情報、あるいはコンテンツ）のトラヒックバーストを分散（緩和）することができる。
【図面の簡単な説明】
【００４７】
【図１】本発明の実施例を示す情報配信システムのブロック図である。
【図２】本実施例の情報配信システムにおける情報配信タイムチャートを示す図である。
【図３】本実施例のデータベースに格納されている、各セルに対する優先度付けを行った配信参照情報の例を示す図である。
【図４】図３の配信参照情報に従って各セルに配信される情報配信優先順位を示す図である。
【図５】図３の配信参照情報に従って各セルに配信される情報配信優先順位を示す図である。
【図６】図３の配信参照情報に従って各セルに配信される情報配信優先順位を示す図である。
【図７】無線アクセス網を用いた従来の情報配信システム例を示すブロック図である。
【図８】情報配信エリアの一例を示す図である。
【図９】従来の情報配信システムにおける情報配信タイムチャートを示す図である。
【符号の説明】
【００４８】
１  端末
２〜５  基地局
６  ＲＮＣ（Radio Network Controller：無線ネットワーク制御装置）
７  情報配信サーバ
８  データベース
９  セル
【図１】
0004877096.tif 000002
【図２】
0004877096.tif 000003
【図３】
0004877096.tif 000004
【図４】
0004877096.tif 000005
【図５】
0004877096.tif 000006
【図６】
0004877096.tif 000007
【図７】
0004877096.tif 000008
【図８】
0004877096.tif 000009
【図９】
0004877096.tif 000010